(57)【要約】      （修正有）【課題】光ドロップケーブルをそのままの状態で電柱に引き留めのできる引留具を提供する。【解決手段】電柱に取付けた腕金又はバンドに、適宜手段で取付ける主体片２と該主体片２に重ね合せる挟持片７およびこれら両片間に介在させて重合する少くも一対の弾性保持片９，１０を備え、しかも、前記弾性保持片９，１０間に光ドロップケーブルｃを介在させた状態で前記各片２，７，９，１０を貫通させる締付ボルト５と該ボルト先端に螺合する締付ナット１４で構成する。【選択図】図１
2006126531.tif 000002
【特許請求の範囲】
【請求項１】
電柱に取付けた腕金又はバンドに、適宜手段で取付ける主体片と該主体片に重ね合せる挟持片およびこれら両片間に介在させて重合する少くも一対の弾性保持片を備え、しかも、前記弾性保持片間に光ドロップケーブルを介在させた状態で前記各片を貫通させる締付ボルトと該ボルト先端に螺合する締付ナットで成る電柱用光ドロップケーブル引留具。
【発明の詳細な説明】
【技術分野】
【０００１】
本発明は、光ケーブルから分岐した光ドロップケーブルを電柱に引き留めるに際し（電柱から家屋に引込むために適用される）用いる電柱用光ドロップケーブル引留具に関するものである。
【背景技術】
【０００２】
例えば、基板にフックを突設した補助金具を電柱に前記基板においてボルトで締め付けておき（特許文献１）、前記フックに引留具に設けたリングを掛止し、引留具に光ドロップケーブルを保持させるようにした構造のもの（例えば、特許文献１、２）がある。
【０００３】
【特許文献１】実用新案登録第３０４３２６８号公報
【特許文献２】特開平１０−２８８７１１号公報
【発明の開示】
【発明が解決しようとする課題】
【０００４】
前記従来例の引留具は、リング（概し、なす環状）を突設した本体の片面に複数個の突子を設け、該突子に光ファイバー線と共に光ドロップケーブルを構成する支持線を巻き付け、ケーブルを引き裂いて前記支持線から分離した前記光ファイバー線をたるませておいたり、前記本体の他の片面に設けた曲率の大きな突子に巻きつけるようにし、いずれにしても、少くも支持線を巻き付けるために、光ファイバー線と支持線を分離する必要がある。
【０００５】
本発明は、斯様な分離作業を必要としない、すなわち、光ドロップケーブルを加工を施さずにそのままの状態で引き留めを行うことのできる引留具を提供することを目的として創案したものである。
【課題を解決するための手段】
【０００６】
電柱に取付けた腕金又はバンドに、適宜手段で取付ける主体片と該主体片に重ね合せる挟持片およびこれら両片間に介在させて重合する少くも一対の弾性保持片を備え、しかも、前記弾性保持片間に光ドロップケーブルを介在させた状態で前記各片を貫通させる締付ボルトと該ボルト先端に螺合する締付ナットで構成したものである。
【実施例】
【０００７】
図面は本発明に係る電柱用光ドロップケーブル引留具の一実施例を示し、図１は使用状態の断面図、図２は図１の側面図、図３は弾性保持片の正面図、図４は他の弾性保持片の正面図である。
【０００８】
図中、１は基枠で、基枠１は上下両端に上下の部片２ａ，２ｂを相対設した主体片２と、該主体片２の上端の、前記上部片２ａを省略した中央部にＬ字形にして連設した取付片３とで構成し、取付片３の水平部片３ａに取付孔４を設ける一方、前記主体片２に締付ボルト５貫通用の、左右一対の組付孔６，６（締付ボルトの角根部が、廻り止めとして嵌合するように方形状にした）を前記下部片２ｂ側に偏して設け、取付片３の前記水平部片３ａに設けた取付孔４を利用して電柱に突設した腕金ａに取付けるようにしたものである。
【０００９】
また、図中、７は挟持片で、挟持片７は前記主体片２と同様に上下両端に上下の部片７ａ，７ｂを相対設し、該部片７ａ，７ｂが主体片２側の前記上下の部片２ａ，２ｂに相向する位置に配せられ、前記一対の（円形の）組付孔６，６の主体片２との位置関係と同様の位置関係にして一対の組付孔８，８を設けたものである。
【００１０】
そして、図中、９，１０は弾性保持片で、弾性保持片９，１０は前記主体片２や挟持片７の上下の部片２ａ，２ｂ、７ａ，７ｂ間に嵌合する程度の板幅を備え、かつ、主体片２等の長さとほぼ一致する長さを備えた方形板体で成り、前記各片２，７に設けた一対の組付孔６，６、８，８と一致する位置にして組付孔１１，１２を設け、一方の弾性保持片１０の組付孔１２は該保持片１０の下端１０ｂ´側の縁部を切り欠いたような切欠状に構成して前記締付ボルト５が相対的に該切欠状の組付孔１２を係脱できるようにしてある。
【００１１】
しかして、電柱に突設した腕金ａの先端に取付片３の水平部片３ａを重ね合わせ、該水平部片３ａと腕金ａ部に貫通させた取付ボルト１３の先端にナット１４を螺合することによって基枠１は腕金ａに取付けられ、基枠１を構成する主体片２は光ドロップケーブルｃの延線方向に沿わせて配せられる。
【００１２】
主体片２には該主体片２の背面側から締付ボルト５を前記組付孔６を通じて貫通させて組付け、このボルト先端を一方の弾性保持片９に設けた組付孔１１に貫通させて組付けて、該保持片９を主体片２に重ね合わせ、さらに他の弾性保持片１０，１０を同様にしてボルト５に組合わせ、そして弾性保持片１０の外側に挟持片７を重ね合わせるようにして締付ボルト５先端を挟持片７の組付孔８に相対的に貫通させ、組付孔８より突出するボルト先端にナット１６を螺合して各片を互いに組合わせ、弾性保持片９，１０間又は１０，１０間に光ドロップケーブルｃを介在させた後、ナット１６を締付けると、各ケーブルｃは保持片９，１０で保持され、ケーブルｃの電柱への引留が行われる。
【００１３】
なお、図１（実施例）は３本の光ドロップケーブルｃを引留めてあるが、弾性保持片１０を追加することによりケーブルｃの引留めの数を増加させることができ、単数本のケーブルｃを引留めるようにしても不都合がないことはいうまでもない。
【００１４】
主体片２側に配した弾性保持片９は、前記の通り透孔（円形）より成る組付孔１１を備えているが、該保持片９の幅（高さ）と主体片２の上下部片２ａ，２ｂ間の間隙幅とほぼ一致させるようにすることにより、主体片２側の組付孔６とこの組付孔１１に貫通させた締付ボルト５は、主体片２と当該弾性保持片９に支持され、水平状態を保つことができ、従って、他の弾性保持片１０や挟持片７をボルト５に組付ける作業を円滑に行うことができるのである。
【００１５】
また、主体片９に隣接しない符号１０で示す弾性保持片は、組付孔６を前記の通り切欠状に構成してあるが、これは、該保持片１０を締付ボルト５に組合わせる際、ボルト５からナット１６を外さずに、該切欠状を利用して組付けられ、また、同様に切欠状を利用して取り外すことができる便利さを期待できるからで、ケーブルｃの引留数を増やす際に有効である。
【００１６】
保持片９はゴムで構成するが樹脂でも不都合はなく、いずれにしても、その弾性変形によってケーブルｃを保持するから、ケーブルｃは損傷を受けることなく保持される。
【図面の簡単な説明】
【００１７】
【図１】使用状態の断面図。
【図２】図１の側面図。
【図３】弾性保持片の正面図。
【図４】他の弾性保持片の正面図。
【符号の説明】
【００１８】
２          主体片
５          締付ボルト
７          挟持片
９，１０    弾性保持片
１４        締付ナット
【図１】
2006126531.tif 000003
【図２】
2006126531.tif 000004
【図３】
2006126531.tif 000005
【図４】
2006126531.tif 000006